(57)【要約】【課題】液体収容部が収容する液体の残量を視認し易くできる記録装置を提供すること。【解決手段】記録装置１１は、筐体１２と、媒体９９に液体を吐出して画像を記録する記録ヘッド２１と、記録ヘッドに供給する液体を収容可能な液体収容部２２と、筐体に収容され、記録ヘッド及び液体収容部を搭載するキャリッジ２３と、を備え、液体収容部は、液体を注入可能な注入部を有し、液体収容部の少なくとも一部分は、収容する液体の残量を視認可能な透明度を有する透明材料で形成され、筐体は、筐体内に位置する液体収容部が収容する液体の残量を視認可能な開口３０を有する。【選択図】図１
2019142115.tif 000002
【特許請求の範囲】
【請求項１】
筐体と、
媒体に液体を吐出して画像を記録する記録ヘッドと、
前記記録ヘッドに供給する液体を収容可能な液体収容部と、
前記筐体に収容され、前記記録ヘッド及び前記液体収容部を搭載するキャリッジと、を備え、
前記液体収容部は、液体を注入可能な注入部を有し、
前記液体収容部の少なくとも一部分は、収容する液体の残量を視認可能な透明度を有する透明材料で形成され、
前記筐体は、前記筐体内に位置する前記液体収容部が収容する液体の残量を視認可能な開口を有することを特徴とする記録装置。
【請求項２】
前記筐体において、前記記録ヘッドによって液体を吐出された前記媒体が排出されるための排出口が設けられる面を前面とすると、
前記開口は、前記筐体の前記前面、上面及び側面のうち少なくとも１つの面に形成されることを特徴とする請求項１に記載の記録装置。
【請求項３】
前記開口は、前記筐体の前記前面、前記上面及び前記側面のうち少なくとも２つの面に亘って形成されることを特徴とする請求項２に記載の記録装置。
【請求項４】
前記キャリッジは、前記媒体の幅方向に往復移動可能に設けられ、
前記開口は、前記記録ヘッドが記録を実行しない場合に前記キャリッジが待機する位置であるホームポジションと対応する位置に形成されることを特徴とする請求項１から請求項３のうち何れか一項に記載の記録装置。
【請求項５】
前記開口には、透明部材が取り付けられることを特徴とする請求項１から請求項４のうち何れか一項に記載の記録装置。
【発明の詳細な説明】
【技術分野】
【０００１】
本発明は、例えばインクジェット式プリンターなどの記録装置に関する。
【背景技術】
【０００２】
記録装置の一例として、特許文献１には、液体を媒体に向けて吐出することによって文字、写真等の画像を媒体に記録するヘッドと、ヘッドに供給する液体を収容可能な液体収容部であるインクタンクと、ヘッド及びインクタンクを搭載するキャリッジとを備えるプリンターが記載されている。
【先行技術文献】
【特許文献】
【０００３】
【特許文献１】特開平８−１５０７２８号公報
【発明の概要】
【発明が解決しようとする課題】
【０００４】
こうした記録装置においては、一般的に、キャリッジが記録装置の筐体に収容されている。この場合、液体収容部に収容される液体の残量を視認するためには、例えば筐体のカバーを開くなどして液体収容部を露出させる必要がある。そのため、液体収容部が収容する液体の残量を視認するために手間がかかる。
【０００５】
本発明の目的は、液体収容部が収容する液体の残量を視認し易くできる記録装置を提供することにある。
【課題を解決するための手段】
【０００６】
以下、上記課題を解決するための手段及びその作用効果について記載する。
上記課題を解決する記録装置は、筐体と、媒体に液体を吐出して画像を記録する記録ヘッドと、前記記録ヘッドに供給する液体を収容可能な液体収容部と、前記筐体に収容され、前記記録ヘッド及び前記液体収容部を搭載するキャリッジと、を備え、前記液体収容部は、液体を注入可能な注入部を有し、前記液体収容部の少なくとも一部分は、収容する液体の残量を視認可能な透明度を有する透明材料で形成され、前記筐体は、前記筐体内に位置する前記液体収容部が収容する液体の残量を視認可能な開口を有する。
【０００７】
この構成によれば、筐体の開口を介して筐体外から筐体内を見ると、液体収容部を視認できる。このとき、液体収容部において透明材料で形成された部分を見ることにより、筐体の開口を介して液体収容部が収容する液体の残量を筐体外から視認できる。したがって、液体収容部が収容する液体の残量を視認し易くできる。
【０００８】
上記記録装置においては、前記筐体において、前記記録ヘッドによって液体を吐出された前記媒体が排出されるための排出口が設けられる面を前面とすると、前記開口は、前記筐体の前記前面、上面及び側面のうち少なくとも１つの面に形成されることが好ましい。
【０００９】
開口が筐体の前面に設けられる場合、筐体の前方から液体収容部を視認できる。開口が筐体の上面に設けられる場合、筐体の上方から液体収容部を視認できる。開口が筐体の側面に設けられる場合、筐体の側方から液体収容部を視認できる。そのため、上記構成によれば、筐体の前方、上方及び側方のうちの少なくとも一方向から、液体収容部が収容する液体の残量を視認できる。
【００１０】
上記記録装置において、前記開口は、前記筐体の前記前面、前記上面及び前記側面のうち少なくとも２つの面に亘って形成されることが好ましい。
この構成によれば、筐体に対して複数の方向から液体収容部が収容する液体の残量を視認できる。そのため、液体収容部が収容する液体の残量を一層視認し易くできる。
【００１１】
上記記録装置において、前記キャリッジは、前記媒体の幅方向に往復移動可能に設けられ、前記開口は、前記記録ヘッドが記録を実行しない場合に前記キャリッジが待機する位置であるホームポジションと対応する位置に形成されることが好ましい。
【００１２】
記録ヘッドが記録を実行しない場合、キャリッジはホームポジションにおいて静止する。上記構成によれば、記録ヘッドが記録を実行しない場合において、液体収容部が収容する液体の残量を一層視認し易くできる。
【００１３】
上記記録装置において、前記開口には、透明部材が取り付けられることが好ましい。
この構成によれば、筐体外の塵埃が開口を介して筐体内に進入する虞を低減できる。
【図面の簡単な説明】
【００１４】
【図１】記録装置の一実施形態を示す斜視図。
【図２】図１とは異なる方向から見た記録装置の斜視図。
【図３】記録装置の正面図。
【図４】記録装置の背面図。
【図５】記録装置の平面図。
【図６】記録装置の底面図。
【図７】記録装置の右側面図。
【図８】記録装置の左側面図。
【図９】液体収容部の斜視図。
【図１０】記録装置の第１変更例を示す斜視図。
【図１１】記録装置の第２変更例を示す斜視図。
【図１２】記録装置の第３変更例を示す斜視図。
【図１３】記録装置の第４変更例を示す斜視図。
【図１４】記録装置の第５変更例を示す斜視図。
【図１５】記録装置の第６変更例を示す斜視図。
【図１６】記録装置の第７変更例を示す斜視図。
【図１７】記録装置の第８変更例を示す斜視図。
【図１８】記録装置の第９変更例を示す斜視図。
【図１９】記録装置の第１０変更例を示す斜視図。
【図２０】記録装置の第１１変更例を示す斜視図。
【図２１】記録装置の第１２変更例を示す斜視図。
【図２２】記録装置の第１３変更例を示す斜視図。
【図２３】記録装置の第１４変更例を示す斜視図。
【図２４】記録装置の第１５変更例を示す斜視図。
【図２５】記録装置の第１６変更例を示す斜視図。
【図２６】記録装置の第１７変更例を示す斜視図。
【図２７】記録装置の第１８変更例を示す斜視図。
【図２８】記録装置の第１９変更例を示す斜視図。
【図２９】記録装置の第２０変更例を示す斜視図。
【図３０】記録装置の第２１変更例を示す斜視図。
【図３１】記録装置の第２２変更例を示す斜視図。
【図３２】記録装置の第２３変更例を示す斜視図。
【図３３】記録装置の第２４変更例を示す斜視図。
【図３４】記録装置の第２５変更例を示す斜視図。
【図３５】記録装置の第２６変更例を示す斜視図。
【図３６】記録装置の第２７変更例を示す斜視図。
【図３７】記録装置の第２８変更例を示す斜視図。
【図３８】記録装置の第２９変更例を示す斜視図。
【発明を実施するための形態】
【００１５】
以下、記録装置の一実施形態について図を参照しながら説明する。記録装置は、例えば、用紙等の媒体に液体の一例であるインクを噴射することによって、文字、写真等の画像を記録するインクジェット式のプリンターである。
【００１６】
図１、図２、図３、図４、図５、図６、図７及び図８に示すように、記録装置１１は、筐体１２を備える。筐体１２は、直方体状に形成される。そのため、筐体１２は、前面１３、後面１４、上面１５、下面１６、右側面１７及び左側面１８の６つの面を有する。下面１６には、筐体１２を支えるための脚部１９が設けられる。
【００１７】
図１に示す記録装置１１の斜視図は、筐体１２の前面１３、上面１５及び右側面１７を示す図である。図２に示す記録装置１１の斜視図は、筐体１２の後面１４、下面１６及び左側面１８を示す図である。図３に示す記録装置１１の正面図は、筐体１２の前面１３を示す図である。図４に示す記録装置１１の背面図は、筐体１２の後面１４を示す図である。図５に示す記録装置１１の平面図は、筐体１２の上面１５を示す図である。図６に示す記録装置１１の底面図は、筐体１２の下面１６を示す図である。図７に示す記録装置１１の右側面図は、筐体１２の右側面１７を示す図である。図８に示す記録装置１１の左側面図は、筐体１２の左側面１８を示す図である。
【００１８】
記録装置１１は、媒体９９に液体を吐出して画像を記録する記録ヘッド２１と、記録ヘッド２１に供給する液体を収容可能な液体収容部２２と、記録ヘッド２１及び液体収容部２２を搭載するキャリッジ２３とを備える。キャリッジ２３は筐体１２に収容される。そのため、記録ヘッド２１及び液体収容部２２は筐体１２に収容される。
【００１９】
筐体１２は、記録ヘッド２１によって液体を吐出された媒体９９が排出されるための排出口２４を有する。筐体１２において、排出口２４が設けられる面が前面１３である。画像を記録された媒体９９は、排出口２４を介して筐体１２内から筐体１２外に排出される。
【００２０】
筐体１２は、その前面１３に、開閉可能な前面カバー２５を有する。前面カバー２５は、筐体１２の下面１６寄りとなる端部を軸に開閉可能である。図１から図８に示す記録装置１１においては、前面カバー２５は閉じている。このときの前面カバー２５は、排出口２４を覆うとともに筐体１２の前面１３の少なくとも一部を構成する。前面カバー２５を開くと、筐体１２内が露出される。前面カバー２５を開くことにより、排出口２４から媒体９９が排出可能となる。
【００２１】
筐体１２は、前面１３とは反対側に位置する後面１４に、開閉可能な後面カバー２６を有する。後面カバー２６は、筐体１２の下面１６寄りとなる端部を軸に開閉可能である。図１から図８に示す記録装置１１においては、後面カバー２６は閉じている。このときの後面カバー２６は、筐体１２の後面１４の少なくとも一部を構成する。後面カバー２６を開くと、筐体１２内が露出される。記録装置１１は、例えば、後面カバー２６を開くことにより露出する供給口を介して筐体１２内に媒体９９を供給される。本実施形態の記録装置１１は、筐体１２内において、筐体１２の後面１４から前面１３に向けて媒体９９を搬送する。そのため、本実施形態において、筐体１２の後面１４から前面１３に向かう方向が媒体９９の搬送方向である。
【００２２】
筐体１２は、その上面１５に、開閉可能な上面カバー２７を有する。上面カバー２７は、筐体１２の後面１４寄りとなる端部を軸に開閉可能である。図１から図８に示す記録装置１１においては、上面カバー２７は閉じている。このときの上面カバー２７は、筐体１２の上面１５の少なくとも一部を構成する。上面カバー２７を開くと、筐体１２内が露出される。記録装置１１は、上面カバー２７を開くことにより露出する開口を通じて媒体９９を供給されてもよい。記録装置１１は、筐体１２に装着可能な媒体カセットから媒体９９を供給されてもよい。
【００２３】
本実施形態において、筐体１２の前面１３から後面１４に向かう方向が筐体１２の奥行方向Ｙである。筐体１２の奥行方向Ｙは、媒体９９が搬送される搬送方向と反対方向となる。筐体１２の前面１３を正面に見たときに、右側に位置する筐体１２の側面が右側面１７であり、左側に位置する筐体１２の側面が左側面１８である。筐体１２の右側面１７から筐体１２の左側面１８に向かう方向が筐体１２の幅方向Ｘである。筐体１２の幅方向Ｘは、媒体９９の幅方向と一致する。記録装置１１は、通常、水平面上に配置された状態で使用される。このとき、筐体１２の上面１５から下面１６に向かう方向が鉛直方向Ｚとなる。
【００２４】
キャリッジ２３は、筐体１２内において幅方向Ｘに往復移動可能に設けられる。記録ヘッド２１は、キャリッジ２３とともに移動しながら液体を媒体９９に吐出することによって、媒体９９に画像を記録する。キャリッジ２３は、例えば記録ヘッド２１が記録を実行しない場合に、ホームポジションにおいて待機する。本実施形態において、キャリッジ２３のホームポジションは、幅方向Ｘにおいて筐体１２の右側面１７寄りとなる位置である。図１に示すキャリッジ２３はホームポジションに位置する。キャリッジ２３は、記録ヘッド２１が媒体９９に液体を吐出しない場合、すなわち記録装置１１が待機状態である場合に、ホームポジションにおいて静止する。
【００２５】
筐体１２は、筐体１２内に位置する液体収容部２２を視認可能な開口３０を有する。記録装置１１は、開口３０を介して、筐体１２外から筐体１２内を視認可能に構成される。開口３０は、筐体１２の前面１３、上面１５及び側面のうち少なくとも１つの面に形成される。筐体１２の側面とは、右側面１７及び左側面１８のことである。本実施形態において、開口３０は、筐体１２の前面１３、上面１５及び側面の３つの面にそれぞれ形成される。そのため、本実施形態においては、筐体１２の前面１３に設けられる開口３０を第１開口３１、筐体１２の上面１５に設けられる開口３０を第２開口３２、筐体１２の側面に設けられる開口３０を第３開口３３と称する。第２開口３２は上面カバー２７に形成される。第３開口３３は、筐体１２が有する２つの側面のうち、右側面１７に設けられる。
【００２６】
第１開口３１、第２開口３２及び第３開口３３は、矩形状をなすように形成される。第１開口３１は、鉛直方向Ｚにおける長さが幅方向Ｘにおける長さよりも長い長方形状とされる。第１開口３１は、その長辺が鉛直方向Ｚに延び、その短辺が幅方向Ｘに延びる形状とされる。第２開口３２は、奥行方向Ｙにおける長さが幅方向Ｘにおける長さよりも長い長方形状とされる。第２開口３２は、その長辺が奥行方向Ｙに延び、その短辺が幅方向Ｘに延びる形状とされる。第３開口３３は、奥行方向Ｙにおける長さが鉛直方向Ｚにおける長さよりも長い長方形状とされる。第３開口３３は、その長辺が奥行方向Ｙに延び、その短辺が鉛直方向Ｚに延びる形状とされる。
【００２７】
開口３０は、筐体１２において、記録ヘッド２１が記録を実行しない場合にキャリッジ２３が待機する位置であるホームポジションと対応する位置に形成される。すなわち、本実施形態の開口３０は、幅方向Ｘにおいて筐体１２の右側面１７寄りとなる位置に形成される。これにより、記録装置１１が待機状態である場合に、開口３０を介して液体収容部２２を視認し易い。
【００２８】
第１開口３１は、筐体１２の前面１３において、上面１５寄り且つ右側面１７寄りとなる位置に形成される。第１開口３１は、前面１３を正面に見た場合に、前面１３において右上の隅部分に形成される。第２開口３２は、筐体１２の上面１５において、前面１３寄り且つ右側面１７寄りとなる位置に形成される。第２開口３２は、上面１５を正面に見た場合に、上面１５において右下の隅部分に形成される。第３開口３３は、筐体１２の右側面１７において、前面１３寄り且つ上面１５寄りとなる位置に形成される。第３開口３３は、右側面１７を正面に見た場合に、右側面１７において左上の隅部分に形成される。すなわち、第１開口３１、第２開口３２及び第３開口３３は、前面１３、上面１５及び右側面１７によって形成される筐体１２の角部分の周辺に位置する。
【００２９】
開口３０には、透明部材３５が取り付けられる。透明部材３５は、筐体１２外から筐体１２内を視認可能な程度の透明度を有する透明材料で形成される。透明部材３５は、例えばプラスチック、ガラス、セラミック等で形成される板状の部材である。開口３０及び透明部材３５は、液体収容部２２が収容する液体の残量を視認するための窓として機能する。開口３０に透明部材３５を取り付けることにより、筐体１２外の塵埃が開口３０を介して筐体１２内に進入する虞を低減できる。本実施形態において、透明部材３５は、第１開口３１、第２開口３２及び第３開口３３のそれぞれに取り付けられる。
【００３０】
透明部材３５は、開口３０に対して着脱可能であることが好ましい。こうすると、例えば記録ヘッド２１が吐出する液体の飛沫によって透明部材３５が汚れた場合に、透明部材３５を容易に清掃できる。
【００３１】
図９に示すように、液体収容部２２は、直方体状の容器である。そのため、液体収容部２２は、前面４１、後面、上面４２、下面、右側面４３及び左側面の６つの面を有する。液体収容部２２の前面４１、後面、上面４２、下面、右側面４３及び左側面は、それぞれ筐体１２の前面１３、後面１４、上面１５、下面１６、右側面１７及び左側面１８に対応する面である。すなわち、液体収容部２２の前面４１及び後面は、筐体１２の前面１３及び後面１４と同様に、幅方向Ｘ及び鉛直方向Ｚに広がりを有する面である。液体収容部２２の上面４２及び下面は、筐体１２の上面１５及び下面１６と同様に、幅方向Ｘ及び奥行方向Ｙに広がりを有する面である。液体収容部２２の右側面４３及び左側面は、筐体１２の右側面１７及び左側面１８と同様に、奥行方向Ｙ及び鉛直方向Ｚに広がりを有する面である。
【００３２】
液体収容部２２は、液体を注入可能な注入部４４を有する。注入部４４は、筒状に設けられ、液体収容部２２の上面４２から上方に向けて延びる。液体収容部２２は、液体を貯留する補充容器から注入部４４を介して液体を補充される。補充容器は、例えばボトルである。上面カバー２７を開くと、液体収容部２２の注入部４４が露出する。液体収容部２２は、キャリッジ２３に搭載された状態で液体を注入可能に構成される。
【００３３】
液体収容部２２の少なくとも一部分は、収容する液体の残量を視認可能な透明度を有する透明材料で形成される。この透明材料は、透明部材３５を形成する材料と同一の材料でもよいし、異なる材料でもよい。透明材料で形成された部分を介して、液体収容部２２が収容する液体の残量を確認できる。液体収容部２２において、透明材料で形成された部分は、収容する液体の残量を視認可能な視認部４５となる。すなわち、視認部４５は、透明なプラスチック、ガラス、セラミック等で形成される。開口３０を介して視認部４５を見ることにより、液体収容部２２が収容する液体の残量を筐体１２外から確認できる。特に、記録装置１１が待機状態である場合に、開口３０を介して液体収容部２２の視認部４５を視認し易い。
【００３４】
開口３０は、筐体１２外から筐体１２内に光を取り入れるための開口としても機能する。開口３０を介して筐体１２外から筐体１２内に光が入射すると、筐体１２内が照らされる。これにより、液体収容部２２が収容する液体の残量を視認し易くなる。特に、開口３０を介して取り入れられる光が液体収容部２２内に入射すると、液体収容部２２が収容する液体の残量を一層視認し易くなる。
【００３５】
本実施形態の視認部４５は、液体収容部２２の前面４１に形成される。そのため、本実施形態の記録装置１１においては、第１開口３１を介して筐体１２内を見た場合に、液体収容部２２が収容する液体の残量を視認し易い。このとき、第２開口３２及び第３開口３３から光が入射すると、液体収容部２２が収容する液体の残量を一層視認し易くなる。
【００３６】
視認部４５は、キャリッジ２３がホームポジションに位置する場合に、開口３０の位置と対応するように位置することが好ましい。すなわち、視認部４５は、キャリッジ２３がホームポジションに位置する場合において筐体１２の前方から第１開口３１を見た際に、第１開口３１と重なるように位置することが好ましい。こうすると、液体収容部２２が収容する液体の残量を一層視認し易くなる。
【００３７】
視認部４５は、液体収容部２２の前面４１に限らず、上面４２及び右側面４３に設けられてもよい。例えば、視認部４５は、図９において液体収容部２２の上面４２及び右側面４３に２点鎖線で示す位置に設けられてもよい。視認部４５は、筐体１２の開口３０に対応して設けられるとよい。すなわち、記録装置１１が第１開口３１を有する場合、視認部４５は液体収容部２２の前面４１に形成されることが好ましい。記録装置１１が第２開口３２を有する場合、視認部４５は液体収容部２２の上面４２に形成されることが好ましい。記録装置１１が第３開口３３を有する場合、視認部４５は液体収容部２２の右側面４３に形成されることが好ましい。
【００３８】
液体収容部２２の上面４２に設けられる視認部４５は、キャリッジ２３がホームポジションに位置する場合において筐体１２の上方から第２開口３２を見た際に、第２開口３２と重なるように位置することが好ましい。液体収容部２２の右側面４３に設けられる視認部４５は、キャリッジ２３がホームポジションに位置する場合において筐体１２の右側方から第３開口３３を見た際に、第３開口３３と重なるように位置することが好ましい。液体収容部２２は、その全体を透明材料で構成されてもよい。この場合、液体収容部２２全体が透明に形成されるため、液体収容部２２における全ての面が視認部４５として機能する。こうすると、第１開口３１、第２開口３２及び第３開口３３の何れの開口３０からでも液体収容部２２が収容する液体の残量を視認し易くなる。液体収容部２２全体を透明に形成すると、開口３０から入射する光が液体収容部２２内に到達し易くなり、液体収容部２２が収容する液体の残量を視認し易くなる。
【００３９】
次に、上記のように構成された記録装置１１の作用及び効果について説明する。
（１）筐体１２の開口３０を介して筐体１２外から筐体１２内を見ると、液体収容部２２を視認できる。このとき、液体収容部２２において透明材料で形成された部分を見ることにより、筐体１２の開口３０を介して液体収容部２２が収容する液体の残量を筐体１２外から視認できる。すなわち、筐体１２の前面カバー２５、後面カバー２６、上面カバー２７等を開くといった手間をかけることなく、液体収容部２２が収容する液体の残量を把握できる。したがって、液体収容部２２が収容する液体の残量を視認し易くできる。
【００４０】
（２）開口３０が筐体１２の前面１３に設けられる場合、筐体１２の前方から液体収容部２２を視認できる。開口３０が筐体１２の上面１５に設けられる場合、筐体１２の上方から液体収容部２２を視認できる。開口３０が筐体１２の側面（右側面１７）に設けられる場合、筐体１２の側方（右側方）から液体収容部２２を視認できる。そのため、筐体１２の前面１３、上面１５及び側面（右側面１７）のうち少なくとも１つの面に開口３０を形成することにより、筐体１２の前方、上方及び側方（右側方）のうちの少なくとも一方向から、液体収容部２２が収容する液体の残量を視認できる。
【００４１】
（３）記録ヘッド２１が記録を実行しない場合、キャリッジ２３はホームポジションにおいて静止する。そのため、キャリッジ２３のホームポジションと対応する位置に開口３０を形成することにより、記録ヘッド２１が記録を実行しない場合において、液体収容部２２が収容する液体の残量を一層視認し易くできる。
【００４２】
（４）開口３０に透明部材３５が取り付けられることにより、筐体１２外の塵埃が開口３０を介して筐体１２内に進入する虞を低減できる。
（５）筐体１２に開口３０を設けることにより、筐体１２外の光を筐体１２内に取り入れ易くなる。開口３０を介して光が入射すると、筐体１２内が照らされる。これにより、液体収容部２２が収容する液体の残量を一層視認し易くできる。
【００４３】
（６）注入部４４を介して液体収容部２２に液体を注入する際、開口３０及び視認部４５を介して液体の残量を確認しながら液体を補充できる。これにより、液体を注入しすぎることによって液体収容部２２から液体が溢れ出ることを抑制できる。すなわち、液体収容部２２に対して液体を適切に補充できる。
【００４４】
（７）開口３０及び視認部４５を介して液体収容部２２が収容する液体の残量を視認することにより、例えば液体の残量が僅少になった場合など、適切なタイミングで液体収容部２２に液体を補充できる。
【００４５】
上記実施形態は、以下に示す変更例のように変更してもよい。また、上記実施形態に含まれる構成と下記変更例に含まれる構成とを任意に組み合わせてもよいし、下記変更例に含まれる構成同士を任意に組み合わせてもよい。
【００４６】
・筐体１２に形成される開口３０は、図１０から図３８に示す変更例のように変更してもよい。図１０から図３８には、第１変更例から第２９変更例における記録装置１１がそれぞれ示されている。図１０から図３８は、筐体１２の前面１３、上面１５及び右側面１７を示す図である。第１変更例から第２９変更例における記録装置１１は、上記実施形態における記録装置１１と比較して、開口３０が異なるのみで、その他の構成は同様である。そのため、第１変更例から第２９変更例における記録装置１１は、筐体１２の後面１４、下面１６及び左側面１８の形状が図２、図４、図６及び図８に示す形状と同一となるように構成される。第１変更例から第２９変更例における記録装置１１の外観は、開口３０を除いて上記実施形態における記録装置１１の外観と同一でもよいし、開口３０を除いて任意に変更してもよい。透明部材３５は、開口３０の形状に合わせた形状を有する。
【００４７】
図１０、図１１、図１２、図１３、図１４、図１５及び図１６に示すように、第１開口３１、第２開口３２及び第３開口３３は、正方形状をなすように形成されたり、その位置が変更されたりしてもよい。第１開口３１、第２開口３２及び第３開口３３のすべてが正方形状をなすように形成されてもよいし、第１開口３１、第２開口３２及び第３開口３３のうちの１つ又は２つが正方形状をなすように形成されてもよい。上記実施形態において長方形状をなすように形成される第１開口３１、第２開口３２及び第３開口３３は、長辺及び短辺の比率を変更されてもよい。
【００４８】
図１７及び図１８に示すように、第１開口３１、第２開口３２及び第３開口３３は、長円状をなすように形成されてもよい。図１７及び図１８に示す第８変更例及び第９変更例において、第１開口３１は、筐体１２の前面１３において、鉛直方向Ｚに延び、その上端及び下端が円弧状をなすように形成される。第２開口３２は、筐体１２の上面１５において、奥行方向Ｙに延び、その前面１３寄り及び後面１４寄りの端部が円弧状をなすように形成される。第３開口３３は、筐体１２の右側面１７において、鉛直方向Ｚに延び、その上端及び下端が円弧状をなすように形成される。なお、長円状をなす第１開口３１及び第２開口３２は幅方向Ｘに延びるように形成されてもよいし、長円状をなす第３開口３３は奥行方向Ｙに延びるように形成されてもよい。
【００４９】
図１９及び図２０に示すように、第１開口３１は、筐体１２の前面１３において、上面１５寄りとなる位置から下面１６寄りとなる位置に亘って延びるように形成されてもよい。第２開口３２は、筐体１２の上面１５において、右側面１７寄りとなる位置から幅方向Ｘにおいて中央よりも左側面１８寄りとなる位置に亘って延びるように形成されてもよい。第３開口３３は、筐体１２の右側面１７において、上面１５寄りとなる位置から下面１６寄りとなる位置に亘って延びるように形成されてもよい。なお、第１開口３１は、筐体１２の前面１３において、右側面１７寄りとなる位置から左側面１８寄りとなる位置に亘って延びるように形成されてもよい。第２開口３２は、筐体１２の上面１５において、前面１３寄りとなる位置から後面１４寄りとなる位置に亘って延びるように形成されてもよい。第３開口３３は、筐体１２の右側面１７において、前面１３寄りとなる位置から後面１４寄りとなる位置に亘って延びるように形成されてもよい。
【００５０】
図２１、図２２、図２３、図２４、図２５及び図２６に示すように、第１開口３１、第２開口３２及び第３開口３３は、それぞれの面に複数形成されてもよい。
例えば、図２１、図２２及び図２３に示すように、第１開口３１は、筐体１２の前面１３において、幅方向Ｘに２つ並ぶように形成されてもよい。第２開口３２は、筐体１２の上面１５において、幅方向Ｘに２つ並ぶように形成されてもよい。第３開口３３は、筐体１２の右側面１７において、奥行方向Ｙに２つ並ぶように形成されてもよい。透明部材３５は、２つ並んで形成される第１開口３１、第２開口３２及び第３開口３３のそれぞれに取り付けられる。
【００５１】
例えば、図２４、図２５及び図２６に示すように、第１開口３１は、筐体１２の前面１３において、幅方向Ｘに４つ並ぶように形成されてもよい。第２開口３２は、筐体１２の上面１５において、幅方向Ｘに４つ並ぶように形成されてもよい。第３開口３３は、筐体１２の右側面１７において、奥行方向Ｙに４つ並ぶように形成されてもよい。透明部材３５は、４つ並んで形成される第１開口３１、第２開口３２及び第３開口３３のそれぞれに取り付けられる。
【００５２】
第１開口３１、第２開口３２及び第３開口３３は、それぞれの面に３つ形成されてもよいし、５つ以上形成されてもよい。第１開口３１は、筐体１２の前面１３において、鉛直方向Ｚに複数並ぶように形成されてもよい。第２開口３２は、筐体１２の上面１５において、奥行方向Ｙに複数並ぶように形成されてもよい。第３開口３３は、筐体１２の右側面１７において、鉛直方向Ｚに複数並ぶように形成されてもよい。複数形成される第１開口３１、第２開口３２及び第３開口３３は、その並びも形状も自由に変更してよい。
【００５３】
図２７、図２８、図２９、図３０及び図３１に示すように、第１開口３１及び第２開口３２は、筐体１２において連続するように形成されてもよい。すなわち、開口３０は、筐体１２において前面１３及び上面１５の２つの面に亘って形成されてもよい。このとき、第３開口３３は設けられてよいし、設けられなくともよい。図２７から図３１に示す第１８変更例から第２２変更例において、透明部材３５は、筐体１２の前面１３又は上面１５の何れかに取り付けられることが好ましい。こうすると、上面カバー２７を開くときに透明部材３５が妨げになり難い。上面カバー２７を開く際に、透明部材３５を取り外すようにしてもよい。
【００５４】
図３２、図３３及び図３４に示すように、第２開口３２及び第３開口３３は、筐体１２において連続するように形成されてもよい。すなわち、開口３０は、筐体１２において上面１５及び右側面１７の２つの面に亘って形成されてもよい。このとき、第１開口３１は設けられてもよいし、設けられなくともよい。図３２から図３４に示す第２３変更例から第２５変更例において、透明部材３５は、筐体１２の右側面１７に取り付けられることが好ましい。こうすると、上面カバー２７を開くときに透明部材３５が妨げになり難い。上面カバー２７を開く際に、透明部材３５を取り外すようにしてもよい。
【００５５】
図３２、図３３及び図３４に示すように、第１開口３１は、筐体１２の前面１３において、上面１５及び右側面１７の縁に沿うように、Ｌ字状に形成されてもよい。第１開口３１に限らず、第２開口３２及び第３開口３３もＬ字状に形成されてもよい。例えば、第２開口３２は、筐体１２の上面１５において、前面１３及び右側面１７の縁に沿うように、Ｌ字状に形成されてもよい。第３開口３３は、筐体１２の右側面１７において、前面１３及び上面１５の縁に沿うように、Ｌ字状に形成されてもよい。
【００５６】
図３５及び図３６に示すように、第１開口３１及び第３開口３３は、筐体１２において連続するように形成されてもよい。すなわち、開口３０は、筐体１２の前面１３及び右側面１７の２つの面に亘って形成されてもよい。このとき、第２開口３２は設けられてもよいし、設けられなくともよい。
【００５７】
図３５及び図３６に示すように、第３開口３３は、円形状をなすように形成されてもよい。第３開口３３に限らず、第１開口３１及び第２開口３２も円形状をなすように形成されてもよい。
【００５８】
図３７及び図３８に示すように、第１開口３１、第２開口３２及び第３開口３３は、筐体１２において連続するように形成されてもよい。すなわち、開口３０は、筐体１２において前面１３、上面１５及び右側面１７の３つの面に亘って連続して形成されてもよい。図３７及び図３８に示す第２８変更例及び第２９変更例において、開口３０は、筐体１２において前面１３、上面１５及び右側面１７からなる角部分に開口する。すなわち、図２７から図３８に示す第１８変更例から第２９変更例のように、開口３０は、筐体１２の前面１３、上面１５及び側面のうち少なくとも２つの面に亘って形成されてもよい。
【００５９】
こうした構成によれば、上記実施形態の効果に加えて以下の効果を得られる。
（８）筐体１２の前面１３、上面１５及び側面（右側面１７）のうち少なくとも２つの面に亘って開口３０が形成されることにより、筐体１２に対して複数の方向から液体収容部２２が収容する液体の残量を視認できる。そのため、液体収容部２２が収容する液体の残量を一層視認し易くできる。
【００６０】
開口３０は、図１０から図３８に示す形状に限らず、楕円状、三角形状、多角形状など任意に変更してもよい。
・透明部材３５はレンズで構成されてもよい。こうすると、液体収容部２２が収容する液体の残量を確認する際に、液体収容部２２の視認部４５を拡大して見ることができる。
【００６１】
・透明部材３５は、筐体１２の外方に向けて凸状をなすように設けられてもよいし、筐体１２の内方に向けて凸状をなすように設けられてもよい。
・透明部材３５は、開口３０に対して開閉可能に取り付けられてもよい。
【００６２】
・透明部材３５は、開口３０に対してスライド可能に取り付けられてもよい。
・開口３０から入射する光を液体収容部２２に向けて反射する鏡を筐体１２内に配置してもよい。これにより、液体収容部２２が収容する液体の残量を視認し易くなる。
【００６３】
・液体収容部２２の注入部４４は、キャリッジ２３がホームポジションに位置する場合において筐体１２の上方から第２開口３２を見た際に、第２開口３２と重なるように位置してもよい。この場合、第２開口３２を介して液体収容部２２に液体を注入できるため、上面カバー２７を開くことなく液体収容部２２に液体を補充できる。
【００６４】
・キャリッジ２３のホームポジションは、幅方向Ｘにおいて筐体１２の左側面１８寄りとなる位置でもよい。この場合、開口３０は、左側面１８寄りとなる位置に形成されることが好ましい。例えば、図１、図３、図５、図７、図１０から図３８に示す開口３０は、幅方向Ｘにおいて、筐体１２の中央となる位置を基準に、対称となる位置に配置されてもよい。すなわち、第３開口３３は、筐体１２の側面のうち左側面１８に形成されてもよい。
【００６５】
・開口３０は、例えば筐体１２の前面１３及び左側面１８に亘って形成されてもよいし、上面１５及び左側面１８に亘って形成されてもよい。
・記録ヘッド２１は、幅方向Ｘに移動可能とされるシリアルヘッドタイプに限らず、幅方向Ｘに長尺に設けられるラインヘッドタイプでもよい。
【００６６】
・媒体９９は、用紙に限らず、布帛、プラスチックフィルム、金属フィルムなどでもよい。
・キャリッジ２３は、複数の液体収容部２２を搭載してもよい。この場合、液体収容部２２は、それぞれ種別の異なる液体を収容する。
【００６７】
・開口３０を除く記録装置１１の外観は任意に変更してもよい。
・記録ヘッド２１が噴射する液体はインクに限らず、例えば機能材料の粒子が液体に分散又は混合されてなる液状体などでもよい。例えば、記録ヘッド２１が液晶ディスプレイ、ＥＬ（エレクトロルミネッセンス）ディスプレイ及び面発光ディスプレイの製造などに用いられる電極材または色材（画素材料）などの材料を分散または溶解のかたちで含む液状体を噴射してもよい。
【符号の説明】
【００６８】
１１…記録装置、１２…筐体、１３…前面、１４…後面、１５…上面、１６…下面、１７…右側面、１８…左側面、１９…脚部、２１…記録ヘッド、２２…液体収容部、２３…キャリッジ、２４…排出口、２５…前面カバー、２６…後面カバー、２７…上面カバー、３０…開口、３１…第１開口、３２…第２開口、３３…第３開口、３５…透明部材、４１…前面、４２…上面、４３…右側面、４４…注入部、４５…視認部、９９…媒体、Ｘ…幅方向、Ｙ…奥行方向、Ｚ…鉛直方向。
【図１】
2019142115.tif 000003
【図２】
2019142115.tif 000004
【図３】
2019142115.tif 000005
【図４】
2019142115.tif 000006
【図５】
2019142115.tif 000007
【図６】
2019142115.tif 000008
【図７】
2019142115.tif 000009
【図８】
2019142115.tif 000010
【図９】
2019142115.tif 000011
【図１０】
2019142115.tif 000012
【図１１】
2019142115.tif 000013
【図１２】
2019142115.tif 000014
【図１３】
2019142115.tif 000015
【図１４】
2019142115.tif 000016
【図１５】
2019142115.tif 000017
【図１６】
2019142115.tif 000018
【図１７】
2019142115.tif 000019
【図１８】
2019142115.tif 000020
【図１９】
2019142115.tif 000021
【図２０】
2019142115.tif 000022
【図２１】
2019142115.tif 000023
【図２２】
2019142115.tif 000024
【図２３】
2019142115.tif 000025
【図２４】
2019142115.tif 000026
【図２５】
2019142115.tif 000027
【図２６】
2019142115.tif 000028
【図２７】
2019142115.tif 000029
【図２８】
2019142115.tif 000030
【図２９】
2019142115.tif 000031
【図３０】
2019142115.tif 000032
【図３１】
2019142115.tif 000033
【図３２】
2019142115.tif 000034
【図３３】
2019142115.tif 000035
【図３４】
2019142115.tif 000036
【図３５】
2019142115.tif 000037
【図３６】
2019142115.tif 000038
【図３７】
2019142115.tif 000039
【図３８】
2019142115.tif 000040